(57)【要約】      （修正有）【課題】槽体がベース上に設置されて、槽体内にＬＥＤランプが設置される、水槽を提供する。【解決手段】本実用新案の水槽は、槽体１、ベース２を備え、槽体１がベース２上に設置される。槽体１内にＬＥＤランプが設置されて、ＬＥＤランプが防水密封で槽体１内に取り付けられ、使用している際、ＬＥＤランプが水中に設置され、ＬＥＤランプからの光線を水中から直接に射出し、それにより照明効果を改善して、水槽の観賞性を向上させ、且つＬＥＤランプが低消費電力、長使用寿命などの利点を有する。槽体１は回転可能にベース２上に取り付けられ、槽体１を３６０度に回転することができ、観賞、水流の駆動をやすくするだけではなく、且つＬＥＤランプの発光を合わせて、より良い照明装飾効果を実現することができる。【選択図】図１
0003192434.tif 000002
【実用新案登録請求の範囲】
【請求項１】
槽体、ベースを備え、前記槽体が前記ベース上に設置された水槽であって、前記槽体内にＬＥＤランプが設置されて、前記ＬＥＤランプが防水密封で前記槽体内に取り付けられることを特徴とする水槽。
【請求項２】
前記ＬＥＤランプは垂直に前記槽体内の中央部に固定されることを特徴とする請求項１に記載の水槽。
【請求項３】
前記ＬＥＤランプは青光ＬＥＤランプであることを特徴とする請求項１に記載の水槽。
【請求項４】
前記ＬＥＤランプはＲＧＢ−ＬＥＤランプであることを特徴とする請求項１に記載の水槽。
【請求項５】
前記槽体は回転可能に前記ベース上に取り付けられることができることを特徴とする請求項１〜４の中のいずれに記載の水槽。
【請求項６】
前記槽体の底部に底部カバーが設置されて、前記ベース内にモータが設置され、前記モータが伝動機構により前記底部カバーと伝動的に接続され、前記モータが前記槽体を駆動して回転させることができることを特徴とする請求項５に記載の水槽。
【請求項７】
前記槽体の頂部に頂部カバーが設置されて、前記頂部カバーのトップに前記ＬＥＤランプの点灯または消灯を制御するためのタッチスイッチが設置されることを特徴とする請求項１〜４の中のいずれに記載の水槽。
【請求項８】
前記頂部カバー内にポンプが設置され、該ポンプにパイプが設置されて、前記パイプが前記槽体内に設置されることを特徴とする請求項７に記載の水槽。
【請求項９】
前記槽体が透明なアクリル槽体であることを特徴とする請求項８に記載の水槽。
【考案の詳細な説明】
【技術分野】
【０００１】
本実用新案は、養魚器具の技術分野に関し、特に水槽に関する。
【背景技術】
【０００２】
現在、市場に販売している水槽は主にガラス槽体を備え、ガラス槽体の底部にベースが設置されて、水流、酸素などを増加するために、ガラス槽体内にサーキュレータポンプを設置することにより、水流を製造する。夜間の観賞を容易にするために、また一部の水槽に照明灯具を設置する。しかし、従来の技術において水槽の照明灯具は、多くに治具などによりガラス槽体の上方に固定された省エネランプであり、照明している際、省エネランプの光線は上方から水中に入射し、多くの光線が上方に反射して戻すことがあり、且つ省エネランプは常に白色光しかを照射することができなく、それにより照明効果が悪く、水槽の観賞性を影響し、また、省エネランプでもより多くの電力を消耗し、使用寿命が短くする。
【考案の概要】
【考案が解決しようとする課題】
【０００３】
本実用新案は、従来の技術の不足に対して、槽体内にＬＥＤ  （発光ダイオード）ランプを設置することにより照明効果を改善して、水槽の観賞性を向上させる水槽を提供することを目的とする。
【課題を解決するための手段】
【０００４】
上記目的を実現するために、本実用新案は、槽体、ベースを備える水槽を提供し、前記槽体が前記ベース上に設置されて、前記槽体内にＬＥＤランプを設置し、前記ＬＥＤランプが防水密封で前記槽体内に取り付けられる。
【０００５】
前記ＬＥＤランプは、垂直に前記槽体内の中央部に固定される。
【０００６】
前記ＬＥＤランプは青光ＬＥＤランプである。
【０００７】
前記ＬＥＤランプはＲＧＢ−ＬＥＤランプである。
【０００８】
前記槽体は回転可能に前記ベース上に取り付けられる。
【０００９】
前記槽体の底部に底部カバーが設置されて、前記ベース内にモータが設置され、前記モータが伝動機構により前記底部カバーと伝動的に接続されて、前記モータが前記槽体を駆動して回転させる。
【００１０】
前記槽体の頂部に頂部カバーが設置されて、前記頂部カバーのトップに前記ＬＥＤランプの点灯または消灯を制御するためのタッチスイッチを設置する。
【００１１】
前記頂部カバー内にポンプが設置され、該ポンプにパイプが接続されて、前記パイプが前記槽体内に設置される。
【００１２】
前記槽体は透明なアクリル槽体である。
【考案の効果】
【００１３】
本実用新案は、ＬＥＤランプが槽体内に設置されたので、使用している際、ＬＥＤランプが水中に設置されて、ＬＥＤランプからの光線が水中から直接に射出することができることにより、照明効果を改善することができ、水槽の観賞性を向上させ、且つＬＥＤランプが低消費電力、長使用寿命などの利点を有するという有益な効果がある。
【図面の簡単な説明】
【００１４】
【図１】本実用新案の構造模式図である。
【図２】本実用新案の平面図である。
【図３】本実用新案の槽体を消える際の構造模式図である。
【図４】本実用新案の分解模式図である。
【考案を実施するための形態】
【００１５】
以下、図面を参照しながら本実用新案を更に説明する。
【００１６】
図１〜４を参照して、本実用新案の水槽は、槽体１、ベース２を備え、槽体１がベース２上に設置される。槽体１内にＬＥＤランプ３が設置されて、ＬＥＤランプ３が防水密封で槽体１内に取り付けられ、使用している際、ＬＥＤランプ３が水中に設置され、ＬＥＤランプ３からの光線を水中から直接に射出し、それにより照明効果を改善して、水槽の観賞性を向上させ、且つＬＥＤランプ３が低消費電力、長使用寿命などの利点を有する。
【００１７】
好ましくて、ＬＥＤランプ３は、均一に光線を各部に照射するように、垂直に槽体１内の中央部に固定される。ＬＥＤランプ３は青光ＬＥＤランプであり、青光ＬＥＤランプが青光を照射することができることにより、より良い照明装飾効果を有する。勿論、実際の需要により、ＬＥＤランプ３は他の照明装飾効果のＬＥＤランプであってもよく、例えば、ＬＥＤランプ３はＲＧＢ−ＬＥＤ  （赤緑青の三色光を混合してなる白色光）ランプであってもよく、白色光などの照明装飾効果を実現する。
【００１８】
好ましくて、槽体１は回転可能にベース２上に取り付けられ、槽体１を３６０度に回転することができ、観賞、水流の駆動をやすくするだけではなく、且つＬＥＤランプ３の発光を合わせて、より良い照明装飾効果を実現することができる。具体的に、槽体１の底部に底部カバー４が設置されて、ベース２内にモータ２１が設置され、モータ２１が伝動機構２２により底部カバー４と伝動的に接続され、それによりモータ２１が槽体１を駆動して回転させることができ、即ち槽体１が底部カバー４上に固定され、モータ２１が伝動機構２２により底部カバー４を駆動して回転させることができ、それにより槽体１を駆動して回転させる。このため、使用者はモータ２１を制御することにより槽体１の回転を便利に制御することができる。本実施例において、槽体１は、上が広く下が狭い六角形であり、槽体１が回転する際、槽体１がＬＥＤランプ３を回って回転する効果を出現する。
【００１９】
好ましくて、槽体１の頂部に頂部カバー５が設置され、頂部カバー５のトップにＬＥＤランプ３の点灯または消灯を制御するためのタッチスイッチ６が設置されて、使用している際、使用者はタッチスイッチ６により便利にＬＥＤランプ３の点灯または消灯を制御することができる。頂部カバー５内にポンプ７が設置され、該ポンプ７にパイプ８が接続されて、パイプ８が槽体１内に設置されて、パイプ８により水流、酸素などを提供し、槽体１が透明なアクリル槽体であり、透明なアクリル槽体は、重量が軽く、強い靭性を有し、特に本実用新案に適用する。
【００２０】
以上のように、本実用新案の水槽は、槽体１内にＬＥＤランプ３が設置されたので、使用している際、ＬＥＤランプ３が水中に設置されて、ＬＥＤランプ３からの光線を水中から直接に射出することができ、それにより照明効果を改善して、水槽の観賞性を向上させることができ、且つＬＥＤランプ３は、低消費電力、長使用寿命などの利点を有し、更に、本実用新案の槽体１は回転可能にベース２上に取り付けられ、槽体１を３６０度に回転し、観賞、水流の駆動をやすくするだけではなく、且つＬＥＤランプ３の発光を合わせて、より良い照明装飾効果を実現することができ、更に、タッチスイッチ６によりＬＥＤランプ３の点灯または消灯を制御し、水槽をより軽くし、美観になる。
【００２１】
最後に説明すべきのは、以上の実施例はただ本実用新案の技術案を説明し、本実用新案の保護範囲を限定するものではなく、好適な実施例を参照して本実用新案を詳しく説明したが、当業者は、本実用新案の技術案を修正又は同等変換するものが、いずれも本実用新案の保護範囲に属することを理解すべきである。
【図１】
0003192434.tif 000003
【図２】
0003192434.tif 000004
【図３】
0003192434.tif 000005
【図４】
0003192434.tif 000006